(57)【要約】【課題】  雰囲気温度と送風機風量とを対応させてきめ細かで高精度の躯体内の温湿度制御を行える送風装置を提供する。【解決手段】    躯体内に送風機と、温度センサと、を配置し、送風機についての予め定められた複数段の送風風量と複数の温度範囲を対応づけし、設定された温度範囲と温度センサからの現在温度データとを比較して現在温度データが属する温度範囲に対応する送風機の送風風量を選択する制御部を設ける。外部操作により設定温度範囲幅を変更可能な可変操作部を介して設定下温度範囲に対応する風量を選択してその風量で送風機を駆動させる。【選択図】図１
2008099646.tif 000002
【特許請求の範囲】
【請求項１】
躯体内に設置される送風機と、
温度センサと、
送風機についての予め定められた複数段の送風風量と複数の温度範囲を対応づけし、設定された温度範囲と温度センサからの現在温度データとを比較して現在温度データが属する温度範囲に対応する送風機の送風風量を選択する制御部と、
外部操作により設定温度範囲幅を変更可能な可変操作部と、を含むことを特徴とする送風装置。
【請求項２】
温度範囲設定が、温度範囲の上限温度又は下限温度を入力指示することにより行われるものであることを特徴とする請求項１記載の送風装置。
【請求項３】
温度範囲設定が、送風機の送風風量の（段数−１）の数の回数の温度指示操作により行われることを特徴とする請求項１又は２記載の送風装置。
【請求項４】
複数の送風機が農業用ハウス内に分散設置されて農業用ハウス内の空気を送風循環させることを特徴とする請求項１ないし３のいずれかに記載の送風装置。
【請求項５】
送風機についての予め定められた複数段の送風風量に対応づけた複数の温度範囲を外部入力により設定し、  
温度センサからの現在温度データと、設定温度範囲とを比較して現在温度データが属する温度範囲に対応する送風機の送風風量を風量選択手段により選択し、
選択した送風風量により躯体内部を送風しつつ躯体内全体の温湿度分布を平均化させることを特徴とする躯体内の温湿度平均化方法。
【請求項６】
農業用ハウス内の送風循環方法であり、
農業用ハウス内に複数の送風機を分散設置させ、
送風機についての予め定められた複数段の送風風量に対応づけた複数の温度範囲を外部入力により設定し、  
温度センサからの現在温度データと、設定温度範囲とを比較して現在温度データが属する温度範囲に対応する送風機の送風風量を風量選択手段により選択し、
選択した送風風量により送風機を駆動させて農業用ハウス内を送風循環させることを特徴とする農業用ハウス内の送風循環方法。
【発明の詳細な説明】
【技術分野】
【０００１】
本発明は、躯体内で送風し、空気密度の平均化あるいは循環等を行うための送風装置、それを用いた躯体内の温湿度平均化方法並びに農業用ハウス内の送風循環方法に関する。
【背景技術】
【０００２】
農作物栽培用の農業用ハウスは、例えば棟数を３として短辺側６メートル、長辺側１００メートル程度のものがあり、比較的大空間の躯体である。このような大容量空間内では、例えば中央部、端部、その他の離隔地点で温湿度ムラが生じやすく、このために一部の作物についての生育不良、病気発生、空調効率の低下等を生起させるおそれがある。従来、このような農業用ハウス内での温湿度ムラ解消のための装置として例えば特許文献１に示すような装置が提案されている。
【０００３】
【特許文献１】特開平７−９９８４４号公報
【発明の開示】
【発明が解決しようとする課題】
【０００４】
上記の特許文献１は、二重天井型ハウスにおいて、フラップ付き循環扇を設け、内天井膜体の流れ方向に沿って空気を吹き出すようにし、これによって、内天井膜体への空気の衝止を回避し、さらに、騒音、内天井膜体の破損をなくすようにしたものである。しかしながら、特許文献１のハウス内空気循環用の循環扇では、フラップを揺動させて風向を変化させることが示唆されるに過ぎず、植物の生育上、極めて重要な要素である温度との関係を考慮した送風機運転についての示唆はなく、循環扇の機能としては、単に送風機能のみについてのものであり、精度の高い躯体内の温湿度制御を行うことは困難であった。しかも、送風機以外に可動フラップ、支持枠、連動装置等を必要として高価であった。
【０００５】
本発明は、上記従来の課題に鑑みてなされたものであり、その１つの目的は、雰囲気温度と送風機風量とを対応させてきめ細かで高精度の躯体内の温湿度制御を行える送風装置、それを用いた躯体内の温湿度平均化方法並びに農業用ハウス内の送風循環方法を提供することにある。また、本発明の他の目的は、送風機のみの機械装置構成で低コストにより躯体内の温湿度制御を行える送風装置、それを用いた躯体内の温湿度平均化方法並びに農業用ハウス内の送風循環方法を提供することにある。
【課題を解決するための手段】
【０００６】
上記の目的を達成するために、本発明は、躯体内に設置される送風機１{１(1)〜１(n)}と、温度センサ３０と、送風機についての予め定められた複数段の送風風量Ｆ{Ｆ(1)〜Ｆ(n)}と複数の温度範囲Ｔ｛Ｔ(1)〜Ｔ(n)｝を対応づけし、設定された温度範囲と温度センサ３０からの現在温度データｔとを比較して現在温度データが属する温度範囲に対応する送風機の送風風量を選択する制御部６０と、外部操作により設定温度範囲幅を変更可能な可変操作部９０と、を含む送風装置１０から構成される。本発明の送風装置は、食品工場、食品貯蔵庫、飲料貯蔵庫、電子、機械部品庫、その他の任意の閉鎖空間を有して内部の温湿度の平均化やある程度の微風を必要とする躯体内において適用される。現在温度データと設定温度（範囲）との具体的な比較、選択方法は任意に構成できる。
【０００７】
その際、温度範囲設定が、温度範囲の上限温度又は下限温度を入力指示することにより行われるものであるようにするとよい。
【０００８】
また、温度範囲設定が、送風機の送風風量の（段数−１）の数の回数の温度指示操作により行われるようにしても良い。
【０００９】
複数の送風機が農業用ハウス４０内に分散設置されて農業用ハウス内の空気を送風循環させるとよい。
【００１０】
また、本発明は、送風機１{１(1)〜１(n)}についての予め定められた複数段の送風風量Ｆ{Ｆ(1)〜Ｆ(n)}に対応づけた複数の温度範囲Ｔ｛Ｔ(1)〜Ｔ(n)｝を外部入力により設定し、温度センサからの現在温度データｔと、設定温度範囲とを比較して現在温度データが属する温度範囲に対応する送風機の送風風量を風量選択手段により選択し、選択した送風風量により躯体内部を送風しつつ躯体内全体の温湿度分布を平均化させる躯体内の温湿度平均化方法から構成される。
【００１１】
また、本発明は、農業用ハウス４０内の送風循環方法であり、農業用ハウス内に複数の送風機１{１(1)〜１(n)}を分散設置させ、送風機についての予め定められた複数段の送風風量Ｆ{Ｆ(1)〜Ｆ(n)}に対応づけた複数の温度範囲Ｔ｛Ｔ(1)〜Ｔ(n)｝を外部入力により設定し、温度センサ３０からの現在温度データｔと、設定温度範囲とを比較して現在温度データが属する温度範囲に対応する送風機の送風風量を風量選択手段により選択し、選択した送風風量により送風機を駆動させて農業用ハウス内を送風循環させる農業用ハウス内の送風循環方法から構成される。
【発明の効果】
【００１２】
本発明の送風装置によれば、躯体内に設置される送風機と、温度センサと、送風機についての予め定められた複数段の送風風量と複数の温度範囲を対応づけし、設定された温度範囲と温度センサからの現在温度データとを比較して現在温度データが属する温度範囲に対応する送風機の送風風量を選択する制御部と、外部操作により設定温度範囲幅を変更可能な可変操作部と、を含む構成であるから、躯体内の雰囲気温度と送風機風量とを対応させてその季節、時期、天候、躯体内条件等に応じた温度側から直感できる風量を選択して送風させるばかりでなく、自由に設定する温度範囲自体がどの選択風量に対応するかについての設定を自在に設定変更できるから、それに対応した温湿度平均化と微風発生を起こさせる結果、きめ細かで高精度の躯体内の温湿度制御を行える。したがって、食品生産、食品貯蔵、倉庫、農業用ハウスばかりでなく、電子・機械その他の精密部品管理倉庫や必要に応じた電子、機械製造等の生産工場等において、有効に適用できる。特に、農業用ハウスに設置した場合には、栽培植物の生育促進、病気発生防止、収量増加、石油暖房機の燃料費削減等の効果を確実に得ることができる。
【００１３】
また、温度範囲設定が、温度範囲の上限温度又は下限温度を入力指示することにより行われるものであるから、外部からの温度範囲設定が明確で操作を単純化できる。また、現在温度との比較判定が容易である。
【００１４】
また、温度範囲設定が、送風機の送風風量の（段数−１）の数の回数の温度指示操作により行われるから、外部からの温度範囲可変設定操作を簡単、明確に行える。また、温度範囲設定操作に対応する現在温度との比較を簡単に行え、回路構成を簡略化できる。
【００１５】
また、複数の送風機が農業用ハウス内に分散設置されて農業用ハウス内の空気を送風循環させるようにすることにより、送風装置自体による高精度の温湿度制御を可能とすることで、栽培植物の生育促進、病気発生防止、収量増加等を実現させることができる。
【００１６】
また、本発明の躯体内の温湿度平均化方法によれば、送風機についての予め定められた複数段の送風風量に対応づけた複数の温度範囲を外部入力により設定し、温度センサからの現在温度データと、設定温度範囲とを比較して現在温度データが属する温度範囲に対応する送風機の送風風量を風量選択手段により選択し、選択した送風風量により躯体内部を送風しつつ躯体内全体の温湿度分布を平均化させる構成であるから、躯体内の雰囲気温度と送風機風量とを対応させて外部と躯体内の温湿度状態を考慮しながら、自由に設定する温度範囲自体がどの選択風量に対応するかについての設定を自在に設定変更できるから、それに対応した温湿度平均化と微風発生を起こさせることができる。その結果、きめ細かで高精度の躯体内の温湿度制御を行える。
【００１７】
また、本発明の農業用ハウス内の送風循環方法によれば、農業用ハウス内の送風循環方法であり、農業用ハウス内に複数の送風機を分散設置させ、送風機についての予め定められた複数段の送風風量に対応づけた複数の温度範囲を外部入力により設定し、温度センサからの現在温度データと、設定温度範囲とを比較して現在温度データが属する温度範囲に対応する送風機の送風風量を風量選択手段により選択し、選択した送風風量により送風機を駆動させて農業用ハウス内を送風循環させる構成であるから、躯体内の雰囲気温度と送風機風量とを対応させて外部と躯体内の温湿度状態を考慮しながら、自由に設定する温度範囲自体がどの選択風量に対応するかについての設定を自在に設定変更できるから、それに対応した温湿度平均化と微風発生を起こさせることができる結果、きめ細かで高精度の躯体内の温湿度制御を行える。農業用ハウス内の栽培植物の生育促進、病気発生防止、収量増加、石油暖房機の燃費削減等の効果を確実に達成し得る。
【発明を実施するための最良の形態】
【００１８】
図１は、本発明の送風装置の概略構成図であり、本発明の送風装置１０は、送風機１{１(1)〜１(n):n=自然数}と、温度センサ３０と、制御部６０と、可変操作部９０と、を備えている。図において、制御部６０に複数の送風機1(1)〜1(n)が電気的に接続され、さらに制御部６０に温度センサ３０と、タイムスイッチ５０と、可変操作部９０とが接続されている。
【００１９】
送風機１(1)〜１(n)は、躯体内、あるいは必要に応じて閉鎖空間を形成する躯体内の適宜の離隔複数箇所に設置されて例えば閉鎖空間の長手方向に沿って送風し閉鎖空間内の空気を循環して全体の温度、湿度、あるいは空気密度を平均化して当該閉鎖空間内に均質な空気環境を生成させる空気の送風循環手段であり、例えば軸流ファン、遠心ファンその他の任意の送風機を適用できる。
【００２０】
温度センサ３０は、閉鎖空間を形成する躯体内の適宜の離隔複数箇所に設置されてその躯体内の少なくとも温度を検出し、そのデータを電気信号として制御部６０に供給する躯体内閉鎖空間の温度検出手段である。
【００２１】
制御部６０は、送風機についての予め定められた複数段の送風風量Ｆ{Ｆ(1)〜Ｆ(n):n=自然数}と複数の温度範囲Ｔ｛Ｔ(1)〜Ｔ(n):n=自然数｝を対応づけし、設定された温度範囲Ｔと温度センサからの現在温度情報ｔとを比較して現在温度データｔが属する温度範囲Ｔに対応する送風機の送風風量Ｆ(1)〜Ｆ(n)を選択制御する制御手段であり、２値論理回路を用いて種々の制御信号を生成するリレー回路シーケンサやマイクロコンピュータを搭載したプログラマブルコントローラ等を用いることができる。制御部６０は、シーケンス制御回路をプログラムの形で記憶させておき、このプログラムを実行させることによってシーケンス制御を行なう。特に、この送風装置１０では、１０００ｍ３／ｈ、１５００ｍ３／ｈ、２０００ｍ３／ｈ、２５００ｍ３／ｈ、・・・等の例えば５段階の風量Ｆ(1)〜Ｆ(5)による送風機運転を予定し、それぞれの風量に対応する温度範囲Ｔ(1)〜Ｔ(5)（あるいは温度域）を１段目の１０００ｍ３／ｈに対して１０℃以下、２段目の１５００ｍ３／ｈに対して１１℃〜１５℃、３段目の２０００ｍ３／ｈに対して１６℃〜２０℃、・・・等のように、設定して対応づけし、設定された温度範囲と温度センサ３０からの現在温度情報ｔとを比較して現在温度データが属する温度範囲に対応する送風機Ｆの送風風量を選択し、送風機を駆動させる。制御部６０は、可変操作部９０により設定された温度範囲値を保持する設定保持部７０と、温度センサ３０からのデータｔと設定保持部７０に保持される温度範囲の値とを比較して現在温度がどの温度範囲に属するかを判断させる比較部８０と、比較結果により現在温度が属する温度範囲に対応する送風機風量Ｆ(1)〜Ｆ(n)のいずれかを選択させる風量（風速）選択部８５と、を含む風量選択手段を構成する。
【００２２】
可変操作部９０は、複数段の送風風量と対応づけられた複数の温度範囲の幅を外部操作により変更自在に設定させる温度範囲幅外部設定手段であり、例えば温度範囲の上限値と下限値とを入力指示することにより、それぞれの段の送風機風量で送風する温度範囲を外部入力により設定する。外部入力は、任意の入力手段を用いることができる。例えば１個又は複数の操作子を用いたり、信号入力用のキーボード、マウス、タブレットその他の入力手段を用いてよい。また、プッシュボタン、ダイアル、スライダ、その他の機械的な操作子を用いることができる。本実施形態において、例えば計時盤の指針を操作して所望の温度の指針位置でセットボタンを押す等の操作により行い、このときの温度情報が制御部６０に供給されて所用のタイムスイッチ時刻で設定される時間間隔で現在温度データと比較される。図１では、この可変操作部９０は、４個の計時盤９１ａ〜９１ｄを含み、５通りの温度範囲（領域）を設定して、現在温度データと比較させ設定されて温度範囲に対応する風量（風速）を選択していずれかの風量で送風機を駆動させる。すなわち、４個の計時盤により温度範囲を示す４通りの温度の値を設定指示することにより、５通りの温度範囲（領域）を設定する。これによって、温度範囲設定が、送風機の送風風量の（段数−１）の数の温度指示操作により実現され、外部からの温度範囲可変設定操作を簡単、明確に行える。また、温度範囲設定操作に対応する現在温度との比較を簡単に行え、回路構成を簡略化できる。なお、可変操作部における入力操作盤、すなわち本実施形態の計時盤９１の数は４個に限らず、５個以上あるいは３個以下の個数で設定してもよいし、その際に対応する温度範囲領域を設定することができる。
【００２３】
また、制御部６０にはタイムスイッチ５０が接続されて、例えば２４時間の計時を行い、設定された時間間隔で信号を制御部に供給し、現在温度データと設定温度範囲データとの比較を実行させる。
【００２４】
次に、図１の送風装置１０を農業用ビニルハウス４０（４０ａ、４０ｂ、４０ｃ）について適用した例を図２ないし図８に基づき説明する。図４は、送風装置１０を適用した１棟が短辺×長辺＝６ｍ×５５ｍ程度の３連棟構成の農業用ビニルハウスの全体斜視図であり、各棟の内部にそれぞれ２個の送風機１(1)、１(2)、１(3)、１(4)、１(5)、１(6)がそれぞれの棟内で同じ風向きｒとなるように設置されている。各送風機１は、ハウス内の長手方向に沿って空気を送風するように配置されている。３個のビニルハウス内は連通している。農業用ビニルハウスには図示しない開閉式の出入り口が設けられている。農業用ビニルハウス４０は、図示しない天面の自動開閉装置が設けられており、それぞれの棟の天井部分の一部が天候、気温、気象状況に応じて開閉駆動され、その開口を介して必要に応じて外気が取り込まれるようになっている。また、ハウス４０ａ内には２個、ハウス４０ｃ内には３個の温度センサ３０がそれぞれ配置されている。そして、中央のハウス４０ｂ内の一端部に図１の制御部６０を備えた制御盤６１が設置されている。
【００２５】
本実施形態において、送風機１は、例えば空気の軸流方向をハウスの長手方向に設定した羽根１２を内蔵した図５に示すようなプロペラファンからなり、図示しない電源から電力を供給されて駆動されるファンモータを介してハウス内に空気を送る。本実施形態では、図２に示すように、送風機１(1)〜１(6)は、２００Ｖ交流電源１１に接続されてスイッチ１３を介して交流電力を供給されて駆動する。
【００２６】
温度センサ３０としては、例えばサーミスタが用いられ、ビニルハウス内の複数の離
隔位置に設置されて常時それらの設置場所での現在温度データを温度情報処理部３２に
供給し、温度情報処理部３２では、それらのうちの平均をとった温度データを制御部６
０に供給する。
【００２７】
制御部６０は、本実施形態では、プログラム変更可能な制御回路を有するシーケンサ
から構成され、図１と同様の、設定保持部７０、比較判定部８０、風速選択部８５を含
み、送風機１についての予め定められた複数段の送風風量Ｆと複数の温度範囲Ｔを対応
づけし、設定された温度範囲と温度センサ３０からの現在温度データｔとを比較して現
在温度データが属する温度範囲Ｔに対応する送風機１の送風風量Ｆを選択する。
【００２８】
図３−ａは、制御盤６１のフロントパネル正面側から見た図であり、該制御盤６１の正面板側に外部操作器や計器類が設置されている。図において、３４は、温度情報処理部３２からの現在温度ｔを表示する温度表示部、５２は、２４時間タイムスイッチ表示部、６２は、運転選択部であり、ダイアル６２１により自動運転のほか、手動運転、選択自動運転への切り替え運転が可能となっている。また、ダイアル６２２は、手動運転時の例えば５段階の風速選択を行う。トグルスイッチ６２３は、タイムスイッチ運転か自動開閉装置に連動させる際等の外部信号に連動させる運転方法か、あるいは、２４時間タイムスイッチか外部信号がＯＮのときに連動させて運転させる方法かを選択させる。
【００２９】
さらに、図３−ａにおいて、４個の操作ダイアル部９１ａ、９１ｂ、９１ｃ、９１ｄが設けられている。操作ダイアル部９１ａ・・・は、ハウスの管理者等がハウス内で栽培する作物の種類、その日の天候、時期等を考慮してそのときのハウス内温度に対する農作物についての最適の風量を温度範囲の幅に対応する風量との関係で入力設定する外部入力の可変操作手段９０であり、本実施形態では、４個のダイアル部についてそれぞれ１つの上限値となる温度をセットし、それらの中間部分の温度範囲（温度領域）を設定温度範囲として現在温度と比較させる。すなわち、本実施形態において、温度範囲設定は、送風機１の送風風量の（段数−１）の数の温度指示操作により行われ、これによって、各温度範囲が設定される。例えば、操作ダイアル部９１ａで１０℃を設定指示し、操作ダイアル部９１ｂで１５℃を設定指示し、操作ダイアル部９１ｃで２０℃を設定し、操作ダイアル部９１ｄで２５℃を設定した場合、１０℃以下、１０℃＜ｔ≦１５℃、１５℃＜ｔ≦２０℃、２０℃＜ｔ≦２５℃、２５℃＜ｔの５通りの温度範囲が設定され、これらが図３−ｂに示すように、それぞれ対応する風量Ｆ(1)〜Ｆ(5)に対応づけられている。なお、４６は、主電源スイッチである。そして、温度の範囲に対応づけられた設定風量（風速）により送風機を駆動させることができる。
【００３０】
図２に戻って、制御部６０には、トランス８６が電気的に接続されており、制御部６０でのいずれかの選択された風量についての信号を受けてその選択風量の回路を閉路し、各送風機１(1)〜１(6)を同じ風量で送風駆動させる。実施形態では、５段階の風速Ｆ(1)〜Ｆ(5)に対応する電圧（例えば８０Ｖ、１００Ｖ、１２０Ｖ、１５０Ｖ、２００Ｖ）を選択させるスイッチ８７ａ〜８７ｅが選択された風量についての信号を受けてその選択風量の回路を閉路動作する。
【００３１】
次に、図６ないし図８を参照しつつ本実施形態の作用について説明する。まず、制御盤６１の運転選択部６２はダイアルにより自動運転が指示設定され、２４時間タイムスイッチ運転がトグルスイッチにより設定されているとする。図６において、複数の温度センサ３０から常時現在温度データが温度情報処理部３２に入力される（Ｓ１）。温度情報処理部３２では、複数の温度センサからの温度データを平均化処理し、平均化された温度（データ）を現在温度ｔとして、制御盤６１の温度表示部３４に供給し、現在温度が外部に表示される（Ｓ２、Ｓ３）とともに、制御部６０に入力される。その現在温度データｔは、タイムスイッチ５０で設定した例えば１５分の時間間隔で設定温度範囲と比較される（Ｓ４）。いま、例えば温度情報処理部３２からの現在温度が８℃とすると、第１の計時盤９１ａで設定された第１の温度範囲Ｔ(1)の上限値Ｔ(1)a１０℃が設定保持部７０から供給され（Ｓ５）、この上限値１０℃とこの８℃が比較され（ｔ＞Ｔ（ｎ）ａ？:ｎ＝１，２，３，４）（Ｓ６）、現在温度が第１の温度範囲の上限値１０℃よりも小（ｔ＜Ｔ(1)a）であるから、現在温度は第１の温度範囲に属するものとして、それに対応付けられた第１の送風風量Ｆ(1)を選択起動させる起動信号を供給する（Ｓ７）。この起動信号により選択スイッチ８７ａをＯＮし、トランス８６の風速Ｆ(1)に対応する変換電圧回路を閉路して送風機１を送風駆動させる。
【００３２】
次に、図７により、第４の温度範囲Ｔ(4)に対応する第４の送風風量Ｆ(4)を選択起動させる例を示す。図において、温度情報処理部３２からの現在温度が２３℃とすると、ステップＳ２６で第１の温度範囲Ｔ(1)の上限値Ｔ(1)a１０℃とこの２３℃が比較され、現在温度が第１の温度範囲の上限値１０℃よりも大（ｔ＞Ｔ(1)a）であるから、現在温度は第１の温度範囲に属しないものとして、設定保持部７０からの第２の温度範囲上限値１５℃と２３℃とが比較される（Ｓ２７、Ｓ２８）。さらに、ステップ２８での比較もｔ＞Ｔ(2)aであるから、次の外部入力設定温度上限値の２０℃との比較がされ（Ｓ２９、Ｓ３０）、このステップ３０での比較においてもｔ＞Ｔ(3)aであるからさらに次の設定温度上限値２５℃との比較を行い（Ｓ３１、Ｓ３２）、このステップ３２での比較においてｔ＜Ｔ(4)a（２３℃＜２５℃）であるから、現在温度は、第４の温度範囲Ｔ(4)に属するものとしてそれに対応付けられた第４の送風風量Ｆ(4)を選択起動させる起動信号を供給する（Ｓ３３）。この起動信号により選択スイッチ８７ｄをＯＮし、トランス８６の風速Ｆ(4)に対応する変換電圧回路を閉路して送風機１を送風駆動させる。
【００３３】
次に、図８により、第５の温度範囲Ｔ(5)に対応する第５の送風風量Ｆ(5)を選択起動させる例を示す。図において、温度情報処理部３２からの現在温度が２８℃とすると、ステップＳ５６で第１の温度範囲Ｔ(1)の上限値Ｔ(1)a１０℃とこの２８℃が比較され、現在温度が第１の温度範囲の上限値１０℃よりも大（ｔ＞Ｔ(1)a）であるから、現在温度は第１の温度範囲に属しないものとして、設定保持部７０からの第２の温度範囲上限値１５℃と２３℃とが比較される（Ｓ５７、Ｓ５８）。さらに、ステップ５８での比較もｔ＞Ｔ(2)aであるから、次の外部入力設定温度上限値の２０℃との比較がされ（Ｓ５９、Ｓ６０）、このステップ６０での比較においてもｔ＞Ｔ(3)aであるからさらに次の設定温度上限値２５℃との比較を行い（Ｓ６１、Ｓ６２）、このステップ６２での比較においてもｔ＞Ｔ(4)a（２８℃＞２５℃）であるから、現在温度は、第５の温度範囲Ｔ(5)に属するものとしてそれに対応付けられた第５の送風風量Ｆ(5)を選択起動させる起動信号を供給する（Ｓ６３）。この起動信号により選択スイッチ８７ｅをＯＮして送風機１を送風駆動させる。
【００３４】
上記の例に限らず、可変操作部９０により設定する温度範囲の幅や上限、下限温度は任意に設定してよい。例えば上記実施形態では、１０℃、１５℃、２０℃、２５℃としているが、各風速に対応する温度範囲は、例えば８℃、１５℃、２５℃、３０℃等のようにランダムな範囲幅に設定してもよい。また、選択される風量（風速）は、できるだけ多くの種類の風量であるのが好ましいが、製造コスト等との関係を考慮して設定することができる。具体的なファンモータの風量選択について、実施形態では固定トランスを用いて電圧変換により指示された風量によりモータ駆動させるようにしているが、この方法に限るものではなく、例えば、インバータを用いた変換駆動等を適用することもできる。また、制御部の構成は、リレー式シーケンサ、ＰＬＣ、その他演算制御装置を用いる構成としても良い。
【００３５】
上記の、図６〜図８で選択された風量で駆動する送風機は、１個のみでもよく、複数個、あるいはすべての送風機を同じ風量で駆動させるようにしても良い。この風量は、当該閉鎖空間に対しては例えば微風であり、例えば同じ風速の送風機駆動によりビニルハウス内の空間全体において空気の密度が均質化され、また温湿度が平均化されて、バラツキがなくなる。これによって、具体的にその閉鎖空間での管理をすべき人あるいは、在室者が季節、時期、時間帯等の温度を考慮しながら送風機風量を変換自在に逐次に選択し、別途に設置される空調機や空調装置等を介したきめ細かい高精度の空調を行うことができる。また、特に、農業用ハウスについて適用する場合には、栽培する野菜や果物の種類ごとに最適温度環境が異なるから、日々の天候の状況に応じて温度対応の風量の決定が必要であり、このようなニーズに対応できる。ハウス内の農作物は、ある程度の風を受けながらしかも均質な温湿度環境に保持することにより生育の促進、病気の予防、全体収量の増加等が実現される。
【００３６】
［実施例］
図４の構造の農業用ビニルハウス（３棟あわせた短辺長さ１８．６ｍ、長辺長さ５５ｍ）内に、図と同数で同様の配置の送風機を６機、天井材から吊支する態様で設置し、東西南北、真ん中の５箇所において温度センサを設置し、送風機を駆動させない場合と、駆動させる場合についてそれぞれハウス内の２４時間ぶんの温度、湿度測定を実施した。測定結果を図９及び図１０に示す。図９−ａ、図９−ｂは、送風機を取り付けた場合と取り付けない場合の温度変化、図１０−ａ、図１０−ｂは、送風機を取り付けた場合と取り付けない場合の湿度変化を示す。
【００３７】
送風機を動作させない場合、温度・湿度とも各測定データに大きな差が発生している。温度については１２：００から１６：００の温度差が非常に大きく、最高温度が３５℃を超えている。湿度については、２４時間を通して差が大きく、変化が大きい。最低湿度も２０％を下回っている。
【００３８】
送風機を動作させた場合、温度差がかなり改善されており、最大で３℃以内に止まっている。また、最高温度も３０℃である。湿度については、測定点により、多少の差が発生しているが湿度の変化の度合いはかなり緩やかになっている。最低湿度も５０％程度である。送風機により、温度・湿度のムラが解消されており、作物に良好な効果を与えるといえる。他の長期実験によれば、送風機を動作させるとハウス内の温度、湿度のムラがなくなることで生育が順調になり高品質な作物を得られることが確認されている。また、暖房機の燃料節約にも寄与することが確認されている。
【００３９】
上記の実施形態においては、設定温度範囲Ｔと現在温度との比較は、単に設定温度範囲の上限値と現在温度との逐次比較により行っているが、具体的な比較判断の方法は、上記の実施形態に限られない。例えば、現在温度がいずれの温度範囲に属するかを直接求める方法や、その他の任意の比較選択方法を採用しても良い。また、上記実-施形態では、温度範囲設定を温度範囲の上限温度を入力することにより、温度範囲を設定して現在温度との比較するようになっているが、下限温度を入力して現在温度との比較を行い、風量（風速）選択を行わせるようにしても良い。また、躯体内での送風機の設置台数、躯体内出の設置位置、温度センサの設置個数、設置位置等は、使用目的や使用環境・条件に対応して任意の個数あるいは位置に設定することができる。また、現実の計測温度が設定可能な温度範囲を超えてそれ以下の温度を計測した場合に自動的に送風機運転を停止させるようにしてもよい。
【００４０】
上記実施形態では、農業用ビニルハウス内に送風機を設置した送風装置の例を示しているが、本送風装置はこれに限ることなく、例えば、製造工場、食品工場、食品貯蔵庫、飲料貯蔵庫、その他の任意の閉鎖空間を有して内部の温湿度の平均化やある程度の微風を必要とする躯体内においても適用できる。その際の、躯体内の温湿度平均化方法としては、上記の農業用ビニルハウスでの構成例における方法と同様に、送風機についての予め定められた複数段の送風風量に対応づけた複数の温度範囲を外部入力により設定し、温度センサからの現在温度データと、設定温度範囲とを比較して現在温度データが属する温度範囲に対応する送風機の送風風量を風量選択手段により選択し、選択した送風風量により躯体内部を送風しつつ躯体内全体の温湿度分布を平均化させる方法が適用される。
【図面の簡単な説明】
【００４１】
【図１】本発明の概略構成説明図である。
【図２】本発明の実施形態に係る送風装置の構成説明図である。
【図３−ａ】図２のシーケンサ制御部を搭載した制御盤の正面説明図である。
【図３−ｂ】温度と風速の関係を示した説明図である。
【図４】本発明の実施形態に係る送風装置を農業用ビニルハウスに適用した全体斜視説明図である。
【図５】図４の送風機の概略斜視説明図である。
【図６】本発明の実施形態に係る送風装置の作用を説明するフローチャート図である。
【図７】本発明の実施形態に係る送風装置の作用を説明するフローチャート図である。
【図８】本発明の実施形態に係る送風装置の作用を説明するフローチャート図である。
【図９−ａ】本発明の実施例の温度変化を示すグラフである。
【図９−ｂ】図９−ａの場合の比較例で、送風機を取り付けない場合の温度変化を示すグラフである。
【図１０−ａ】本発明の実施例の湿度変化を示すグラフである。
【図１０−ｂ】図１０−ａの場合の比較例で、送風機を取り付けない場合の湿度変化を示すグラフである。
【符号の説明】
【００４２】
１    送風機
１０  送風装置
３０  温度センサ
３２  温度情報処理部
５０  タイムスイッチ
６０  制御部
７０  設定保持部
８０  比較部
８５  風速選択部
９０  可変操作部
Ｆ    送風風量
Ｔ    温度範囲
ｔ    現在温度情報
【図１】
2008099646.tif 000003
【図２】
2008099646.tif 000004
【図３−ａ】
2008099646.tif 000005
【図３−ｂ】
2008099646.tif 000006
【図４】
2008099646.tif 000007
【図５】
2008099646.tif 000008
【図６】
2008099646.tif 000009
【図７】
2008099646.tif 000010
【図８】
2008099646.tif 000011
【図９−ａ】
2008099646.tif 000012
【図９−ｂ】
2008099646.tif 000013
【図１０−ａ】
2008099646.tif 000014
【図１０−ｂ】
2008099646.tif 000015